【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
シートに形成された画像を読み取る画像読取部と、
前記画像読取部で画像が読み取られるシートが載置される載置部と、
前記画像読取部にシートを案内するシート搬送路へと前記載置部に載置されたシートを一枚ずつに分離して給送する分離給送部と、
前記載置部に載置されたシートの給送方向と直交する幅方向に移動可能に設けられた第１規制部材と、
前記幅方向にて前記第１規制部材に対向して配置され、前記第１規制部材との前記幅方向における中間点が、前記シート搬送路の搬送中心と一致するように前記第１規制部材と連動し、前記第１規制部材と共に前記載置部に載置されたシートの前記幅方向の端部を規制する第２規制部材と、
前記載置部に載置されたシートを検知する第１及び第２シート検知部と、を備え、
前記第１シート検知部は、前記幅方向の位置が、前記載置部に給送可能な最小幅のシートの端部を規制した際の前記第１及び第２規制部材の間に位置するように配設され、
前記第２シート検知部は、前記幅方向の位置が、前記載置部に幅の異なるシートが前記第１規制部材に一端を揃えて載置され、かつ前記載置部に載置されたシートのうちの幅の小さいシートの他端が前記第１シート検知部よりも前記第１規制部材側となる場合、前記載置部に載置された前記幅の小さいシートの他端と前記第１規制部材との間に位置するように配設された、
ことを特徴とする画像読取装置。
【請求項２】
前記第２シート検知部は、前記幅方向の位置が、前記載置部に載置されたシートの前記幅方向を規制する前記第１及び第２規制部材が、給送可能な最大幅のシートの前記幅方向を規制した際に、前記第１規制部材から前記第２規制部材に向かって前記最小幅のシートのシート幅の幅内に位置するように配設されている、
ことを特徴とする請求項１に記載の画像読取装置。
【請求項３】
前記第１及び第２シート検知部は、シートの当接により回動することで載置部に載置されたシートを検知するレバー部材をそれぞれ有しており、前記第１シート検知部が有する第１レバー部材と前記第２シート検知部が有する第２レバー部材とが軸部材を介して一体に形成され、
前記軸部材の回転を検知するセンサを有する、
ことを特徴とする請求項１又は２に記載の画像読取装置。
【請求項４】
シートに形成された画像を読み取る画像読取部と、
前記画像読取部で画像が読み取られるシートが載置される載置部と、
前記画像読取部にシートを案内するシート搬送路へと前記載置部に載置されたシートを一枚ずつに分離して給送方向に給送する分離給送部と、
前記載置部に載置されたシートの、前記給送方向と直交する幅方向における両側に配置され、前記幅方向の位置を規制する第１規制部材及び第２規制部材と、
前記載置部に載置されたシートに押されて回転するレバーであって、前記載置部に載置されたシートと接する第１部分及び第２部分とを備えたレバーと、
前記レバーの回転を検知するセンサと、
前記第１部分は、前記幅方向の位置が、前記載置部に給送可能な最小幅のシートの端部を規制した際の前記第１規制部材及び前記第２規制部材の間に位置するように配設され、
前記第２部分は、前記幅方向の位置が、前記載置部に幅の異なるシートが前記第１規制部材に一端を揃えて載置され、かつ前記載置部に載置されたシートのうちの幅の小さいシートの他端が前記第１部分よりも前記第１規制部材側となる場合、前記載置部に載置された前記幅の小さいシートの他端と前記第１規制部材との間に位置するように配設された、
ことを特徴とする画像読取装置。
【請求項５】
前記第２部分は、前記幅方向の位置が、前記載置部に載置されたシートの前記幅方向を規制する前記第１規制部材及び前記第２規制部材が、給送可能な最大幅のシートの前記幅方向を規制した際に、前記第１規制部材から前記第２規制部材に向かって前記最小幅のシートのシート幅の幅内に位置するように配設されている、
ことを特徴とする請求項４に記載の画像読取装置。
【請求項６】
前記分離給送部は、前記幅方向において前記第２規制部材よりも前記第１規制部材に近い位置に配置されている、
ことを特徴とする請求項１乃至５のいずれか１項に記載の画像読取装置。
【請求項７】
シートに形成された画像を読み取る画像読取部と、
前記画像読取部で画像が読み取られるシートが載置される載置部と、
前記画像読取部にシートを案内するシート搬送路へと前記載置部に載置されたシートを供給する供給部と、
前記載置部に載置されたシートの給送方向と直交する幅方向に移動可能に設けられた第１規制部材と、
前記幅方向にて前記第１規制部材に対向して配置され、前記第１規制部材と共に前記載置部に載置されたシートの前記幅方向の端部を規制する第２規制部材と、
前記載置部における第１検知位置と第２検知位置との少なくともいずれかにシートがあるかを検知する検知部と、を備え、
前記幅方向における前記第１検知位置の位置は、前記載置部に給送可能な最小幅のシートの端部を規制した際の前記第１規制部材及び前記第２規制部材の間に位置し、
前記幅方向における前記第２検知位置の位置は、前記載置部に幅の異なるシートが前記第１規制部材に一端を揃えて載置され、かつ前記載置部に載置されたシートのうちの幅の小さいシートの他端が前記第１シート検知部よりも前記第１規制部材側となる場合、前記載置部に載置された前記幅の小さいシートの他端と前記第１規制部材との間に位置する、
ことを特徴とする画像読取装置。
【請求項８】
前記幅方向における前記第２検知位置の位置は、前記載置部に載置されたシートの前記幅方向を規制する前記第１及び第２規制部材が、給送可能な最大幅のシートの前記幅方向を規制した際に、前記第１規制部材から前記第２規制部材に向かって前記最小幅のシートのシート幅の幅内に位置する、
ことを特徴とする請求項７に記載の画像読取装置。
【請求項９】
シートが載置される載置部と、
前記載置部に載置されたシートを供給する供給部と、
前記供給部によって供給されたシートの画像を読み取る画像読取部と、
前記載置部に載置されたシートの給送方向と直交する幅方向に移動可能に設けられ、シートの前記幅方向における一方の側端部を規制する第１規制部材と、
前記第１規制部材に対向して配置され、前記第１規制部材との前記幅方向における中間点が、所定位置と一致するように前記第１規制部材と連動し、前記第１規制部材と共に前記載置部に載置されたシートの前記幅方向における他方の側端部を規制する第２規制部材と、
前記載置部における第１検知位置と第２検知位置との少なくともいずれかにシートが有るかを検知する検知部と、を備え、
前記幅方向における前記第１検知位置の位置は、前記載置部に給送可能な最小幅のシートの両端部を規制した際の前記第１及び第２規制部材の間であって、前記第２検知位置よりも前記所定位置の側に位置させた前記第１規制部材から最小幅のシートの幅以内の位置に設定される、
ことを特徴とする画像読取装置。
【請求項１０】
前記第１検知位置の前記幅方向における位置は前記供給部よりも前記幅方向の他方側に、前記第２検知位置の前記幅方向における位置は前記供給部よりも前記幅方向の一方側に、設定される、
ことを特徴とする請求項７乃至９のいずれか１項に記載の画像読取装置。
【請求項１１】
前記供給部は、前記幅方向において前記第２規制部材よりも前記第１規制部材に近い位置に配置されている、
ことを特徴とする請求項７乃至１０のいずれか１項に記載の画像読取装置。
【請求項１２】
前記供給部は、前記載置部に載置されたシートの上面に接する昇降可能な供給ローラ、及び、前記供給ローラを昇降可能に保持する保持アームを含み、
前記第１検知位置及び前記第２検知位置は、前記保持アームの、それぞれ前記幅方向における両側に位置する、
ことを特徴とする請求項７乃至１１のいずれか１項に記載の画像読取装置。
【請求項１３】
前記検知部は、前記第１検知位置においてシートと接する第１部分と前記第２検知位置においてシートと接する第２部分とを有し、前記第１部分と前記第２部分とが一体に回動するように構成されたレバー部材と、
前記レバー部材の回動を検知するセンサと、を含む、
ことを特徴とする請求項７乃至１２のいずれか１項に記載の画像読取装置。
【請求項１４】
前記検知部は、前記第１検知位置においてシートを検知するセンサと、前記第２検知位置においてシートを検知するセンサと、の少なくとも２つのセンサを含む、
ことを特徴とする請求項７乃至１２のいずれか１項に記載の画像読取装置。
【請求項１５】
請求項１乃至１４のいずれか１項に記載の画像読取装置と、
前記画像読取装置で読み取った画像情報に基づき画像を形成する画像形成部と、を備える、
ことを特徴とする画像形成装置。
【手続補正２】
【補正対象書類名】明細書
【補正対象項目名】０００９
【補正方法】変更
【補正の内容】
【０００９】
本発明は、画像読取装置において、シートに形成された画像を読み取る画像読取部と、前記画像読取部で画像が読み取られるシートが載置される載置部と、前記画像読取部にシートを案内するシート搬送路へと前記載置部に載置されたシートを一枚ずつに分離して給送する分離給送部と、前記載置部に載置されたシートの給送方向と直交する幅方向に移動可能に設けられた第１規制部材と、前記幅方向にて前記第１規制部材に対向して配置され、前記第１規制部材との前記幅方向における中間点が、前記シート搬送路の搬送中心と一致するように前記第１規制部材と連動し、前記第１規制部材と共に前記載置部に載置されたシートの前記幅方向の端部を規制する第２規制部材と、前記載置部に載置されたシートを検知する第１及び第２シート検知部と、を備え、前記第１シート検知部は、前記幅方向の位置が、前記載置部に給送可能な最小幅のシートの端部を規制した際の前記第１及び第２規制部材の間に位置するように配設され、前記第２シート検知部は、前記幅方向の位置が、前記載置部に幅の異なるシートが前記第１規制部材に一端を揃えて載置され、かつ前記載置部に載置されたシートのうちの幅の小さいシートの他端が前記第１シート検知部よりも前記第１規制部材側となる場合、前記載置部に載置された前記幅の小さいシートの他端と前記第１規制部材との間に位置するように配設された、ことを特徴とする。
【手続補正３】
【補正対象書類名】明細書
【補正対象項目名】００１０
【補正方法】変更
【補正の内容】
【００１０】
本発明によると、幅方向位置が最小幅のシートを規制した第１及び第２規制部材の間になるように第１シート検知部を設けたことによって、載置部に同幅のシートが検知された場合、この第１シート検知部によって確実にシートを検知することができる。また、第２シート検知部の幅方向の位置を、載置部に幅の異なるシートが第１規制部材に一端を揃えて載置され、かつ載置部に載置されたシートのうちの幅の小さいシートの他端が第１シート検知部よりも前記第１規制部材側となる場合、載置部に載置された幅の小さいシートの他端と第１規制部材との間に位置するように配設している。このため、第１シート検知部にてシートの検知ができなくとも第２シート検知によってシートの検知が可能となり、シート幅が異なるシートが載置部に載置されたとしても、これら第１及び第２シート検知部によって載置部上のシートを検知することができる。
【手続補正４】
【補正対象書類名】明細書
【補正対象項目名】００２６
【補正方法】変更
【補正の内容】
【００２６】
図２に示すように、本体部４３内であって、原稿トレイ３９のシート給送方向下流側の上方には、原稿トレイ３９に載置された原稿Ｄの有無を検知するための原稿載置検知センサレバー５０が設けられている。原稿載置検知センサレバー５０は、図３に示すように、第１シート検知部である第１レバー部材（左センサレバー５０ａ、第１部分）及び第２シート検知部である第２レバー部材（右センサレバー５０ｂ、第２部分）と軸部材５０ｃとから構成されている。軸部材５０ｃは、原稿トレイ３９の上方であって、シート搬送方向と直交する方向に向って回動自在に配置されている。そして、その両端には、軸部材５０ｃから下方に向かって左センサレバー５０ａ及び右センサレバー５０ｂがそれぞれ延設されている。
【手続補正５】
【補正対象書類名】明細書
【補正対象項目名】００２７
【補正方法】変更
【補正の内容】
【００２７】
左センサレバー５０ａ及び右センサレバー５０ｂは、本体部４３内であって直交方向（幅方向）に向ってそれぞれ対向するように配設されている。左センサレバー５０ａは、中央基準搬送で原稿トレイ３９に載置された全サイズの原稿Ｄを検知し得る位置に配置されている。即ち、左センサレバー５０ａは、その幅方向位置（第１検知位置）が、ＡＤＦ２７が対応している給送可能な規定最小幅の原稿Ｄを規制した際の右規制板４０と左規制板４１との間に位置するように配設されている。なお、ここで、中央基準搬送とは、シート搬送路４６の幅方向の中心と原稿Ｄの幅方向における中心とを一致させて給送、搬送することをいう。
【手続補正６】
【補正対象書類名】明細書
【補正対象項目名】００２９
【補正方法】変更
【補正の内容】
【００２９】
一方で、右センサレバー５０ｂは、異幅混載モードで載置される原稿Ｄのうち大サイズの原稿Ｄの幅方向における原稿幅が所定幅より大きいサイズ（例えば、Ｂ４Ｒ（２１０ｍｍ）以上のサイズ）である時に全てを検知することができる位置（第２検知位置）に配置されている。即ち、ＡＤＦ２７が対応している規定最大幅の原稿Ｄの幅方向を右規制板４０と左規制板４１とで規制した際に、右規制板４０から左規制板４１に向けて規定最小幅原稿Ｄの原稿幅の幅内であって、混載された全てのシートと給送方向で重なる位置に配置される。